(57)【特許請求の範囲】
【請求項１】
表示スクリーンと、表示駆動回路と、タッチ回路と、表示スクリーンの電極が表示駆動にもタッチ検出にも用いられるようにするゲート回路又は信号ローディング回路とを含み、前記ゲート回路により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにし、前記信号ローディング回路により、表示スクリーンの電極が表示駆動信号とタッチ信号を同時に送信し、表示駆動及びタッチ検出の場合に表示スクリーンの電極を同時に共用するようにするタッチ型フラットパネルディスプレイにおいて、
表示スクリーンの電極がタッチ信号を送信している期間において、タッチ信号が少なくとも１つの時点で、２つを越える表示スクリーンの電極線に同時に印加され、タッチ回路はその中から少なくとも１つの遮蔽保護された表示スクリーンの電極線を検出電極として選択し、タッチ信号が前記検出電極に印加される時に、当該電極を貫流しているタッチ信号の変化が検出され、前記遮蔽保護された表示スクリーンの電極線は、その隣接する又は隣接しない両側の電極線にタッチ信号が印加され、又はそれに交差する電極線にタッチ信号が印加された表示スクリーンの電極線である
ことを特徴とするタッチ型フラットパネルディスプレイ。
【請求項２】
前記表示スクリーンの電極線は、パッシブ表示スクリーンにおける行電極線及び列電極線、又はアクティブ表示スクリーンにおける行電極線及び列電極線を含む表示スクリーンの電極の全てからなる
ことを特徴とする請求項１に記載のタッチ型フラットパネルディスプレイ。
【請求項３】
表示スクリーンの電極にタッチ信号が印加される期間において、検出電極にタッチ信号を印加して検出電極を貫流しているタッチ信号の変化を検出する時に、検出電極に交差する他の表示スクリーンの電極にもタッチ信号を印加し、前記した検出電極に交差する他の表示スクリーンの電極は、検出電極に交差する電極の全てであり、又は検出電極に交差する電極の一部である
ことを特徴とする請求項１に記載のタッチ型フラットパネルディスプレイ。
【請求項４】
タッチ信号が表示スクリーンの電極に印加される期間において、検出電極にタッチ信号を印加して検出電極を貫流しているタッチ信号の変化を検出する時に、検出電極に交差しない他の表示スクリーンの電極にもタッチ信号を印加し、前記した検出電極に交差しない他の表示スクリーンの電極は、検出電極に交差しない電極の全てであり、又は検出電極に交差しない電極の一部である
ことを特徴とする請求項１に記載のタッチ型フラットパネルディスプレイ。
【請求項５】
タッチ信号が表示スクリーンの電極に印加される期間において、検出電極にタッチ信号を印加して検出電極を貫流しているタッチ信号の変化を検出する時に、検出電極に交差する及び交差しない他の表示スクリーンの電極にもタッチ信号を印加し、前記した検出電極に交差する及び交差しない他の表示スクリーンの電極は、検出電極に交差する及び交差しない電極の全てであり、又は検出電極に交差する及び交差しない電極の一部である
ことを特徴とする請求項１に記載のタッチ型フラットパネルディスプレイ。
【請求項６】
タッチ信号が表示スクリーンの電極に印加される期間において、検出電極にタッチ信号を印加して検出電極を貫流しているタッチ信号の変化を検出する時に、表示スクリーンの共通電極にもタッチ信号を印加する
ことを特徴とする請求項１に記載のタッチ型フラットパネルディスプレイ。
【請求項７】
前記タッチ信号は、ゼロ振幅を含む交流信号、又はゼロ電位を含む直流信号である
ことを特徴とする請求項１に記載のタッチ型フラットパネルディスプレイ。
【請求項８】
前記したタッチ信号が印加された電極に印加されたタッチ信号は、その振幅、位相、周波数又はコードが同じである
ことを特徴とする請求項１に記載のタッチ型フラットパネルディスプレイ。
【請求項９】
前記したタッチ信号が印加された電極に印加されたタッチ信号は、その振幅、位相、周波数又はコードのうちの少なくとも１つが異なる
ことを特徴とする請求項１に記載のタッチ型フラットパネルディスプレイ。
【請求項１０】
前記タッチ回路が検出電極を選択する場合には、同一の時点で表示スクリーンの電極線の一部を１群の検出電極として選択する
ことを特徴とする請求項１に記載のタッチ型フラットパネルディスプレイ。
【請求項１１】
前記タッチ回路が検出電極を選択する場合には、同一の時点で表示スクリーンの２つの部分以上の電極線を２群以上の検出電極としてそれぞれ選択し、各群の検出電極にタッチ信号を同時に印加し、各群の検出電極を貫流しているタッチ信号の変化をそれぞれ検出する
ことを特徴とする請求項１に記載のタッチ型フラットパネルディスプレイ。
【請求項１２】
前記タッチ回路は、走査によって検出電極を選択し、異なる時点で表示スクリーンの異なる部分の電極線を検出電極として選択する
ことを特徴とする請求項１０又は１１に記載のタッチ型フラットパネルディスプレイ。
【請求項１３】
前記各群の検出電極に印加されるタッチ信号は、その振幅、位相、周波数又はコードが同じである
ことを特徴とする請求項１１に記載のタッチ型フラットパネルディスプレイ。
【請求項１４】
前記各群の検出電極に印加されるタッチ信号は、その振幅、位相、周波数又はコードのうちの少なくとも１つが異なる
ことを特徴とする請求項１１に記載のタッチ型フラットパネルディスプレイ。
【請求項１５】
前記各群の検出電極はそれぞれ、表示スクリーンの１つ以上の電極線からなる
ことを特徴とする請求項１又は１１に記載のタッチ型フラットパネルディスプレイ。
【発明の詳細な説明】
【技術分野】
【０００１】
本発明は、タッチスクリーン及びフラットパネルディスプレイに関し、特に、タッチ型フラットパネルディスプレイに関する。
【背景技術】
【０００２】
現在の静電容量型タッチスクリーンは、デジタル式とアナログ式に分けられる。デジタル式の静電容量型タッチスクリーンは、層ごとに複数の平行電極を有する、互いに直交する２層の電極からなる。それぞれの電極にタッチ励起信号が印加され、人の指がタッチスクリーンに触れると、指がタッチスクリーンでのある電極とともに結合コンデンサーを形成し、前記結合コンデンサーからリーク電流が流れ出す。タッチ回路はリーク電流を検出することによって、指と結合コンデンサーを形成した２層の電極における２つの直交電極を決定することで、タッチ位置を決定する。このような方法は、ただ大まかな位置決めに適用されるが、高精度の位置決めが求められる場合には、高精度で緊密な２層の電極を製作する必要があり、コストが高くなる。また、デジタル式の静電容量型タッチスクリーンがディスプレイの前面に配置された場合に、電極検知による反射により、表示ムラを引き起こす。
【０００３】
アナログ式の静電容量型タッチスクリーンは、単層の検知電極と２層の検知電極に分けられる。単層の検知電極を有するアナログ式の静電容量型タッチスクリーンでは、単層の面状電極の４つの隅から電極へタッチ励起電流信号を入力し、人の指がタッチスクリーンにタッチすると、指と電極とによって結合コンデンサーが形成され、前記結合コンデンサーからリーク電流が流れ出す。タッチ回路は、４つの隅からそれぞれ電極へ流れる電流の大きさを検出することによって、指から電流が流れ出すタッチ位置を算出する。このような方法は、高精度の位置決めができるが、制御回路の算出量が大きく、また、環境温度や湿度が変わるために環境電界が変更される場合に、ドリフトが生じ、位置決めの不正確を引き起こす。タッチスクリーンがディスプレイの前面に配置された場合、タッチスクリーンの検知電極の不十分な透過により、表示スクリーンの輝度低下を引き起こし、また、タッチスクリーンの検知電極による反射により、強い環境光下での表示コントラストの低下を引き起こす。
【０００４】
２層の検知電極を有するアナログ式の静電容量型タッチスクリーンは、層ごとに複数の平行電極を有する、互いに直交する２層の電極からなる。それぞれの電極にタッチ励起信号が印加され、人の指がタッチスクリーンに触れると、指がタッチスクリーンでのある電極とともに結合コンデンサーを形成し、前記結合コンデンサーからリーク電流が流れ出す。タッチ回路は、それぞれの電極から流れ出した電流の大きさを検出することによって、互いに直交する２層の電極で、それぞれ横方向又は縦方向のタッチ位置を算出する。このような方法は、高精度の位置決めが実現でき、ドリフトの問題も改善されるが、２層の検知電極に対して１つずつリーク電流を検出する必要があり、検出と算出の量が大きく、検出と算出のための時間も、スクリーンが大きくなって検知電極が多くなるに従って増加する。タッチスクリーンがディスプレイの前面に配置された場合に、タッチスクリーンの検知電極による反射により、表示ムラや、強い環境光下での表示コントラストの低下を引き起こす。
【０００５】
「タッチ検知」という中国発明特許出願公開ＣＮ１６７８９８０号公報の明細書には、フラットパネルディスプレイがタッチを検知する機能を有するように、マトリックスのフラットパネルディスプレイの電極をタッチセンサーとする方法が開示されている。しかし、この方法で、フラットパネルディスプレイの電極は、その一側に引出端が設けられて表示駆動回路に接続され、他側にも引出端が設けられてタッチ回路に接続されることによって、ディスプレイの電極が時分割で表示駆動回路又はタッチ回路に連通され、ディスプレイの電極がタッチ電極として機能してタッチを検知する。ディスプレイの行電極と列電極の両端からリードが引き出されてそれぞれ表示駆動回路とタッチ回路に接続される方法は、引出リードの密度と複雑さを大幅に増加し、コストの向上とともに信頼性の低下を引き起こす。
【０００６】
「タッチ型フラットパネルディスプレイ」という中国発明特許出願２００６１００９４８１４１号の明細書には、タッチ回路と表示スクリーンの電極との間の接続方法が開示されている。この方法では、アナログスイッチによって、表示スクリーンの電極が表示駆動信号を送信し、又はタッチ信号を送信して検知し、表示駆動及びタッチ検出の場合に表示スクリーンの電極を時分割多重化するようにし、表示スクリーンの電極が表示駆動にもタッチ検出にも用いられる。「タッチ機能を有するフラットパネルディスプレイ」という中国発明特許出願２００６１０１０６５５８３号の明細書には、タッチ回路と表示スクリーンの電極との間のもう１つの接続方法が開示されている。この方法では、信号ローディング回路によって、表示スクリーンの電極が表示駆動信号を送信すると同時にタッチ信号を送信して検知し、表示駆動及びタッチ検出の場合に表示スクリーンの電極を同時に共用するようにし、表示スクリーンの電極が表示駆動にもタッチ検出にも用いられる。前記開示された方法は、タッチ回路と表示スクリーンの電極との接続を適当にし、さらに表示駆動回路における選択・出力回路の部分を巧みに利用することにより、タッチ回路と表示スクリーンの電極との接続が簡単で実現可能になる。
【０００７】
以上の特許には、行方向と列方向に電極ごとにタッチが検出されるように、タッチ励起信号がアドレス走査によって表示スクリーンの電極ごとに印加される。フラットパネル表示スクリーンの行と列の電極が交差してメッシュ状構造となり、１つの電極に印加されるタッチ励起信号が、フラットパネル表示スクリーンのメッシュ状の電極の間に直列に流れ、タッチされた電極の判定に影響を与える。
【発明の概要】
【発明が解決しようとする課題】
【０００８】
本発明は、表示スクリーンのメッシュ状電極の間でのタッチ信号の流れを制御するために、表示スクリーンの電極にタッチ励起を印加してタッチを検出する一連の方法を提供することを目的とする。
【課題を解決するための手段】
【０００９】
本発明の技術的課題は、以下の技術的手段によって達成される。
【００１０】
表示スクリーンと、表示駆動回路と、タッチ回路と、表示スクリーンの電極が表示駆動にもタッチ検出にも用いられるようにするゲート回路又は信号ローディング回路とを含み、前記ゲート回路により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにし、前記信号ローディング回路により、表示スクリーンの電極が表示駆動信号とタッチ信号を同時に送信し、表示駆動及びタッチ検出の場合に表示スクリーンの電極を同時に共用するようにするタッチ型フラットパネルディスプレイにおいて、表示スクリーンの電極がタッチ信号を送信している期間において、タッチ信号が少なくとも１つの時点で２つを越える表示スクリーンの電極線に同時に印加され、タッチ回路はその中から少なくとも１つの遮蔽保護された表示スクリーンの電極線を検出電極として選択し、タッチ信号が前記検出電極に印加される時に、当該電極を貫流しているタッチ信号の変化が検出され、前記遮蔽保護された表示スクリーンの電極線は、その隣接する又は隣接しない両側の電極線にタッチ信号が印加され、又はそれに交差する電極線にタッチ信号が印加された表示スクリーンの電極線であることを特徴とするタッチ型フラットパネルディスプレイである。
【００１１】
本発明の技術的課題はさらに、以下の好ましい又は選択が自由の技術的手段によって達成される。
【００１２】
本発明の一態様によれば、前記表示スクリーンの電極線は、パッシブ表示スクリーンにおける行電極線及び列電極線、又はアクティブ表示スクリーンにおける行電極線及び列電極線を含む表示スクリーンの電極の全てからなる。
【００１３】
本発明の他の態様によれば、タッチ信号が表示スクリーンの電極に印加される期間において、検出電極にタッチ信号を印加して検出電極を貫流しているタッチ信号の変化を検出する時に、検出電極に交差する他の表示スクリーンの電極にもタッチ信号を印加し、前記した検出電極に交差する他の表示スクリーンの電極は、検出電極に交差する電極の全てであり、又は検出電極に交差する電極の一部である。
【００１４】
本発明の他の態様によれば、タッチ信号が表示スクリーンの電極に印加される期間において、検出電極にタッチ信号を印加して検出電極を貫流しているタッチ信号の変化を検出する時に、検出電極に交差しない他の表示スクリーンの電極にもタッチ信号を印加し、前記した検出電極に交差しない他の表示スクリーンの電極は、検出電極に交差しない電極の全てであり、又は検出電極に交差しない電極の一部である。
【００１５】
本発明の他の態様によれば、タッチ信号が表示スクリーンの電極に印加される期間において、検出電極にタッチ信号を印加して検出電極を貫流しているタッチ信号の変化を検出する時に、検出電極に交差する及び交差しない他の表示スクリーンの電極にもタッチ信号を印加し、前記した検出電極に交差する及び交差しない他の表示スクリーンの電極は、検出電極に交差する及び交差しない電極の全てであり、又は検出電極に交差する及び交差しない電極の一部である。
【００１６】
本発明の他の態様によれば、タッチ信号が表示スクリーンの電極に印加される期間において、検出電極にタッチ信号を印加して検出電極を貫流しているタッチ信号の変化を検出する時に、表示スクリーンの共通電極にもタッチ信号を印加する。
【００１７】
本発明の他の態様によれば、前記タッチ信号はゼロ振幅を含む交流信号、又はゼロ電位を含む直流信号である。
【００１８】
本発明の他の態様によれば、前記したタッチ信号が印加された電極に印加されたタッチ信号は、その振幅、位相、周波数又はコードが同じである。
【００１９】
本発明の他の態様によれば、前記したタッチ信号が印加された電極に印加されたタッチ信号は、その振幅、位相、周波数又はコードのうちの少なくとも１つが異なる。
【００２０】
本発明の他の態様によれば、前記タッチ回路が検出電極を選択する場合には、同一の時点で表示スクリーンの電極線の一部を１群の検出電極として選択する。
【００２１】
本発明の他の態様によれば、前記タッチ回路が検出電極を選択する場合には、同一の時点で表示スクリーンの２つの部分以上の電極線を２群以上の検出電極としてそれぞれ選択し、各群の検出電極にタッチ信号を同時に印加し、各群の検出電極を貫流しているタッチ信号の変化をそれぞれ検出する。
【００２２】
本発明の他の態様によれば、前記タッチ回路は走査によって検出電極を選択し、異なる時点で表示スクリーンの異なる部分の電極線を検出電極として選択する。
【００２３】
本発明の他の態様によれば、前記各群の検出電極に印加されたタッチ信号は、その振幅、位相、周波数又はコードが同じである。
【００２４】
又は、前記各群の検出電極に印加されたタッチ信号は、その振幅、位相、周波数又はコードのうちの少なくとも１つが異なる。
【００２５】
本発明の他の態様によれば、前記各群の検出電極はそれぞれ、表示スクリーンの１つ以上の電極線からなる。
【００２６】
前記ゲート回路により、表示スクリーンの電極が表示駆動回路に連通されて表示駆動信号を送信し、又はタッチ回路に連通されてタッチ信号を送信し、前記ゲート回路は多方向アナログスイッチであってもよく、又はゲートとして機能する他の回路であってもよい。
【００２７】
前記行信号ローディング回路は、行表示駆動回路に生じられた表示駆動信号と、タッチ回路に生じられ、表示駆動信号と異なる特徴を有するタッチ信号とをタッチ認識の特徴を有する駆動信号として合成し、表示スクリーンの電極に印加する。
【発明の効果】
【００２８】
従来技術に比べると、本発明の有利な効果は以下にある。
【００２９】
本発明は、タッチポイントの位置判定の正確性を向上することができる。本発明に係るタッチ型フラットパネルディスプレイは、検出電極と非検出電極にタッチ信号を同時に印加することによって、検出電極の間及び検出電極と非検出電極との間でのタッチ信号の流れが低減され、タッチ信号の流れが制御され、タッチされた電極の判定の正確性が向上される。
【００３０】
本発明は、複数の群の検出電極にタッチ信号を同時に印加し、各群の検出電極を貫流しているタッチ信号の変化をそれぞれ検出する。これは、表示スクリーンを幾つかのブロックに分けて同時にタッチを検出することに相当する。走査によってタッチ検出を行う場合に、このような複数の群の検出電極によって幾つかのブロックに分けて同時に走査する検出方法によって、表示スクリーン全体でタッチポイントを検出する時間が短縮される。
【００３１】
タッチ信号の流れをより精細に制御するために、それぞれの検出電極に印加されるタッチ信号の振幅、位相、周波数又はコードが相違するように調整されてもよく、また、非検出電極に印加されるタッチ信号の振幅、位相、周波数又はコードが、検出電極に印加されるタッチ信号振幅、位相、周波数又はコードと相違するように調整されてもよい。
【００３２】
タッチされた電極線を判定する条件としては、貫流しているタッチ信号の変化が最も大きく、ある定められた閾値を越えた電極線がタッチされた電極線として検出され、また、タッチ型フラットパネルディスプレイがシングルタッチを採用することである。加えて、貫流しているタッチ信号の変化がある定められた閾値を越えた電極線がタッチされた電極線として検出されることであり、これで、本発明に係るタッチ型フラットパネルディスプレイがマルチタッチ可能になる。これによって、タッチ型フラットパネルディスプレイはより多くのタッチ機能を追加しやすい。
【図面の簡単な説明】
【００３３】
【図１】本発明による実施形態１、２の電気的な接続の概略図である。
【図２】本発明による実施形態３の電気的な接続の概略図である。
【図３】本発明による実施形態４、５の電気的な接続の概略図である。
【図４】本発明による実施形態６、７、８、９の電気的な接続の概略図である。
【図５】本発明による実施形態１０の電気的な接続の概略図である。
【図６】本発明による実施形態１１、１２の電気的な接続の概略図である。
【発明を実施するための形態】
【００３４】
フラットパネルディスプレイには複数の種類があり、液晶ディスプレイ（ＬＣＤ）を例としては、パッシブ液晶ディスプレイとアクティブ液晶ディスプレイを含む。例えば、ツイストネマティック（Ｔｗｉｓｔ  Ｎｅｍａｔｉｃ、ＴＮと略称する）型液晶ディスプレイ（ＴＮ−ＬＣＤ）及びスーパーツイストネマティック（Ｓｕｐｅｒ  Ｔｗｉｓｔ  Ｎｅｍａｔｉｃ、ＳＴＮと略称する）型液晶ディスプレイ（ＳＴＮ−ＬＣＤ）のようなパッシブ液晶ディスプレイには、一般に、下基板ガラスに表示走査電極線又は表示信号電極線（すなわち、行電極線）が設けられ、上基板ガラスに表示信号電極線又は表示走査電極線（すなわち、列電極線）が設けられ、その交差部分が画素を表示する。例えば、薄膜トランジスタ（Ｔｈｉｎ  Ｆｉｌｍ  Ｔｒａｎｓｉｓｔｏｒ、ＴＦＴと略称する）液晶ディスプレイ（ＴＦＴ−ＬＣＤ）のようなアクティブ液晶ディスプレイは、一般に、一方の基板ガラスに設けられたＴＦＴアレー、表示画素アレー、ＴＦＴのゲートに接続された表示走査電極線（すなわち、行電極線）、及びＴＦＴのソース又はドレインに接続された表示信号電極線（すなわち、列電極線）と、もう一方の基板ガラスに設けられたカラーフィルター及び共通電極とを含む。プラズマディスプレイ（ＰＤＰ）、アクティブとパッシブの有機発光ダイオードディスプレイ（ＯＬＥＤ）などの他のフラットパネルディスプレイは同様に、表示走査電極線と表示信号電極線（すなわち、行・列電極線）を有する。本発明は、フラットパネルディスプレイの行・列電極線によってタッチ検出を行い、表示駆動及びタッチ検出の場合に表示スクリーンの電極を多重化することにより、フラットパネルディスプレイが正常表示するとともにタッチ検出を実現する。
【００３５】
上述したように、フラットパネルディスプレイの行・列電極線によってタッチ検出を行う場合に、検出電極だけにタッチ信号を印加すると、クロストークなどにより、タッチ検出の効果に影響を与える場合がある。本発明者は、既にクロストークを解消する方法を多く発見したが、その１つとしては、検出電極の周りの電極にもタッチ信号を印加することによって、クロストーク信号がこれらの追加されたタッチ信号に吸収又は遮断されることである。ここで、検出電極の周りの前記タッチ信号が印加された電極は、実質的に、検出電極が干渉されないように遮蔽保護の機能を有する。検出電極の周りの前記タッチ信号が印加された電極は、検出電極又は非検出電極でもよい。
【００３６】
検出電極の周りの電極にもタッチ信号を印加する方法の１つとしては、検出電極に交差する電極線にタッチ信号を印加することである。
【００３７】
検出電極の周りの電極にもタッチ信号を印加する別の方法としては、検出電極線の各側に、検出電極に交差しない電極線の少なくとも１つにタッチ信号を印加することである。これは、検出電極線が表示スクリーンの中央に位置する場合に適用される。
【００３８】
検出電極の周りの電極にもタッチ信号を印加する別の方法としては、検出電極線における他の電極線がある側に、検出電極に交差しない電極線の少なくとも１つにタッチ信号を印加することである。これは、検出電極線が表示スクリーンの周縁に位置する場合に適用される。ここで、検出電極線の一方の側だけに他の電極線があるので、この側の電極線だけにタッチ信号を印加でき、また、この側の電極線だけにタッチ信号を印加する必要がある。
【００３９】
実施形態１
図１に示すように、タッチ型フラットパネルディスプレイ１００は、パッシブ表示スクリーン１１０、行表示駆動回路１２１と列表示駆動回路１２２、行タッチ回路１３１と列タッチ回路１３２、及び行ゲート回路１６１と列ゲート回路１６２などを含む。表示スクリーン１１０は、行電極群１４０（行電極線１４１、１４２、…、１４ｍを含み、ただし、ｍが１を越える自然数である）と列電極群１５０（列電極線１５１、１５２、…、１５ｎを含み、ただし、ｎが１を越える自然数である）を有する。表示スクリーン１１０の行電極群１４０は行表示駆動回路１２１にも行タッチ回路１３１にも接続され、列電極群１５０は列表示駆動回路１２２にも列タッチ回路１３２にも接続される。タッチ型フラットパネルディスプレイにおける行ゲート回路１６１と列ゲート回路１６２により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにする。
【００４０】
前記タッチ型フラットパネルディスプレイは、各時点毎に１つの表示スクリーンの電極線を選択してタッチ信号を印加し、検出電極を貫流しているタッチ信号の変化を検出するが、他の表示スクリーンの電極線にはただタッチ信号だけが印加され、検出が行われない時分割多重化を採用することに特徴付けられる。それは以下のように動作する。表示期間において、タッチ型フラットパネルディスプレイ１００における行ゲート回路１６１と列ゲート回路１６２により、表示スクリーンの行電極群１４０と列電極群１５０がそれぞれ行表示駆動回路１２１と列表示駆動回路１２２に連通されて表示駆動信号を送信し、これで、表示スクリーン１１０が表示状態になる。
【００４１】
タッチ期間において、タッチ型フラットパネルディスプレイ１００における行ゲート回路１６１と列ゲート回路１６２により、表示スクリーンの行電極群１４０と列電極群１５０がそれぞれ行タッチ回路１３１と列タッチ回路１３２に連通されてタッチ信号を送信する。行タッチ回路１３１は走査によって、各時点毎に行電極線１４１、１４２、…、１４Ｍ（ただし、Ｍが１を越える自然数である）から１つの電極線を行検出電極として選択してタッチ信号を印加し、この電極線を貫流しているタッチ信号の変化を検出する。その一方で、行タッチ回路１３１は他の非検出電極の行電極線の全てにも、検出電極に印加されるタッチ信号と完全に同じであるタッチ信号を印加し、列タッチ回路１３２は全ての列電極線にも、検出電極に印加されるタッチ信号と完全に同じであるタッチ信号を印加する。行タッチ回路１３１によって、貫流しているタッチ信号の変化が最も大きく、ある定められた閾値を越えた行電極線は、タッチされた行電極線として検出される。その後、列タッチ回路１３２は走査によって、各時点毎に列電極線１５１、１５２、…、１５Ｎ（ただし、Ｎが１を越える自然数である）から１つの電極線を列検出電極として選択してタッチ信号を印加し、この電極線を貫流しているタッチ信号の変化を検出する。その一方で、列タッチ回路１３２は他の全ての非検出電極の列電極線にも、検出電極に印加されるタッチ信号と完全に同じであるタッチ信号を印加し、行タッチ回路１３１は全ての行電極線にも、検出電極に印加されるタッチ信号と完全に同じであるタッチ信号を印加する。列タッチ回路１３２によって、貫流しているタッチ信号の変化が最も大きく、ある定められた閾値を越えた列電極線は、タッチされた列電極線として検出される。これにより、タッチポイントの位置は、このように、検出されたタッチされた行電極線とタッチされた列電極線の交差点によって決定される。
【００４２】
タッチ型フラットパネルディスプレイ１００は、表示期間とタッチ期間との間に繰り返して切り替え、表示駆動及びタッチ検出の場合に表示スクリーンの電極を時分割多重化するようにし、それぞれのタッチ期間がフラットパネルディスプレイの応答時間を越えないように制御され、このようにして、フラットパネルディスプレイが正常表示にもタッチ検出にも用いられる。これにより、ｍ×ｎのタッチポイントが認識されるタッチ型フラットパネルディスプレイが形成される。
【００４３】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００４４】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００４５】
表示スクリーンの電極が表示駆動回路に連通されて表示駆動信号を送信し、又はタッチ回路に連通されてタッチ信号を送信するようにするゲート回路は、多方向アナログスイッチであってもよく、又はゲートとして機能する他の回路であってもよい。
前記表示スクリーンの電極線の線抵抗は、検出を容易にするために、タッチ物が表示スクリーンの電極線の両端に近づく又は触れる時にタッチ信号の間の差が十分に小さくなるように、５０ｋΩよりも小さいことが望ましい。
【００４６】
実施形態２
図１に示すように、タッチ型フラットパネルディスプレイ１００は、パッシブ表示スクリーン１１０、行表示駆動回路１２１と列表示駆動回路１２２、行タッチ回路１３１と列タッチ回路１３２、及び行ゲート回路１６１と列ゲート回路１６２などを含む。表示スクリーン１１０は、行電極群１４０（行電極線１４１、１４２、…、１４ｍを含み、ただし、ｍが１を越える自然数である）と列電極群１５０（列電極線１５１、１５２、…、１５ｎを含み、ただし、ｎが１を越える自然数である）を有する。表示スクリーン１１０の行電極群１４０は行表示駆動回路１２１にも行タッチ回路１３１にも接続され、列電極群１５０は列表示駆動回路１２２にも列タッチ回路１３２にも接続される。タッチ型フラットパネルディスプレイにおける行ゲート回路１６１と列ゲート回路１６２により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにする。
【００４７】
前記タッチ型フラットパネルディスプレイは、各時点毎に１つの表示スクリーンの電極線を選択してタッチ信号を印加し、検出電極を貫流しているタッチ信号の変化を検出するが、検出電極に交差する表示スクリーンの電極線にはただタッチ信号だけが印加され、検出が行われない時分割多重化を採用することに特徴付けられる。それは以下のように動作する。表示期間において、タッチ型フラットパネルディスプレイ１００における行ゲート回路１６１と列ゲート回路１６２により、表示スクリーンの行電極群１４０と列電極群１５０がそれぞれ行表示駆動回路１２１と列表示駆動回路１２２に連通されて表示駆動信号を送信し、表示スクリーン１１０が表示状態になる。
【００４８】
タッチ期間において、タッチ型フラットパネルディスプレイ１００における行ゲート回路１６１と列ゲート回路１６２により、表示スクリーンの行電極群１４０と列電極群１５０がそれぞれ行タッチ回路１３１と列タッチ回路１３２に連通されてタッチ信号を送信する。行タッチ回路１３１は走査によって、各時点毎に行電極線１４１、１４２、…、１４Ｍ（ただし、Ｍが１を越える自然数である）から１つの電極線を行検出電極として選択してタッチ信号を印加し、この電極線を貫流しているタッチ信号の変化を検出するが、他の行検出電極にタッチ信号を印加しない。
【００４９】
その一方で、列タッチ回路１３２は全ての列電極線にも、検出電極に印加されるタッチ信号と完全に同じであるタッチ信号を印加する。行タッチ回路１３１によって、貫流しているタッチ信号の変化が最も大きく、ある定められた閾値を越えた行電極線は、タッチされた行電極線として検出される。その後、列タッチ回路１３２は走査によって、各時点毎に列電極線１５１、１５２、…、１５Ｎ（ただし、Ｎが１を越える自然数である）から１つの電極線を列検出電極として選択してタッチ信号を印加し、この電極線を貫流しているタッチ信号の変化を検出するが、他の列検出電極にタッチ信号を印加しない。その一方で、行タッチ回路１３１は全ての行電極線にも、検出電極に印加されるタッチ信号と完全に同じであるタッチ信号を印加する。列タッチ回路１３２によって、貫流しているタッチ信号の変化が最も大きく、ある定められた閾値を越えた列電極線は、タッチされた列電極線として検出される。これにより、タッチポイントの位置は、検出されたタッチされた行電極線とタッチされた列電極線の交差点によって決定される。
【００５０】
タッチ型フラットパネルディスプレイ１００は表示期間とタッチ期間との間に繰り返して切り替え、表示駆動及びタッチ検出の場合に表示スクリーンの電極を時分割多重化するようにし、それぞれのタッチ期間がフラットパネルディスプレイの応答時間を越えないように制御され、このようにして、フラットパネルディスプレイが正常表示にもタッチ検出にも用いられる。これにより、ｍ×ｎのタッチポイントが認識されるタッチ型フラットパネルディスプレイが形成される。
【００５１】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００５２】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００５３】
表示スクリーンの電極が表示駆動回路に連通されて表示駆動信号を送信し、又はタッチ回路に連通されてタッチ信号を送信するようにするゲート回路は、多方向アナログスイッチであってもよく、又はゲートとして機能する他の回路であってもよい。
【００５４】
前記表示スクリーンの電極線の線抵抗は、検出を容易にするために、タッチ物が表示スクリーンの電極線の両端に近づく又は触れる時にタッチ信号の間の差が十分に小さくなるように、５０ｋΩよりも小さいことが望ましい。
【００５５】
実施形態３
図２に示すように、タッチ型フラットパネルディスプレイ２００は、パッシブ表示スクリーン２１０、行表示駆動回路２２１と列表示駆動回路２２２、行タッチ回路２３１と列タッチ回路２３２、及び行信号ローディング回路２６１と列信号ローディング回路２６２などを含む。表示スクリーン２１０は、行電極群２４０（行電極線２４１、２４２、…、２４ｍを含む）と列電極群２５０（列電極線２５１、２５２、…、２５ｎを含む）を有する。表示スクリーン２１０の行電極群２４０は行信号ローディング回路２６１によって、行表示駆動回路２２１と行タッチ回路２３１に接続され、列電極群２５０は列信号ローディング回路２６２によって、列表示駆動回路２２２と列タッチ回路２３２に接続される。タッチ型フラットパネルディスプレイにおける信号ローディング回路により、表示スクリーンの電極が同時に表示駆動信号とタッチ信号を送信し、表示駆動及びタッチ検出の場合に表示スクリーンの電極を同時に共用するようにする。
【００５６】
前記タッチ型フラットパネルディスプレイは、各時点毎に１つの表示スクリーンの電極線を選択してタッチ信号を印加し、検出電極を貫流しているタッチ信号の変化を検出するが、他の表示スクリーンの電極線にはただタッチ信号だけが印加され、検出が行われない同時共用を採用することに特徴付けられる。それは以下のように動作する。行タッチ回路２３１は走査によって、各時点毎に行電極線２４１、２４２、…、２４ｍから１つの電極線を検出電極として選択する。行信号ローディング回路２６１は、行表示駆動回路２２１に生じられた表示駆動信号と、行タッチ回路２３１に生じられ、表示駆動信号と異なる特徴を有するタッチ信号とをタッチ認識の特徴を有する駆動信号として合成し、この電極線に印加して、この電極線を貫流しているタッチ信号の変化を検出する。その一方で、行信号ローディング回路２６１は他の非検出電極の行電極線の全てにも、表示駆動信号と、その振幅、位相、周波数がいずれも検出電極に印加される信号におけるタッチ信号の部分と完全に同じであるタッチ信号との合成信号を印加し、列信号ローディング回路２６２は全ての列電極線に、列表示駆動回路２２２に生じられた表示駆動信号と、列タッチ回路２３２に生じられ、その振幅、位相、周波数がいずれも検出電極に印加される信号におけるタッチ信号の部分と完全に同じであるタッチ信号との合成信号を印加する。行タッチ回路２３１によって、貫流しているタッチ信号の変化が最も大きく、ある定められた閾値を越えた行電極線はタッチされた行電極線として検出される。その後、列タッチ回路２３２は走査によって、各時点毎に列電極線２５１、２５２、…、２５ｎから１つの電極線を検出電極として選択する。列信号ローディング回路２６２は、列表示駆動回路２２２に生じられた表示駆動信号と、列タッチ回路２３２に生じられ、表示駆動信号と異なる特徴を有するタッチ信号とをタッチ認識の特徴を有する駆動信号として合成し、この電極線に印加して、この電極線を貫流しているタッチ信号の変化を検出する。その一方で、列信号ローディング回路２６２は他の非検出電極の列電極線の全てに、表示駆動信号と、その振幅、位相、周波数がいずれも検出電極に印加される信号におけるタッチ信号の部分と完全に同じであるタッチ信号との合成信号を印加し、行信号ローディング回路２６１は全ての行電極線に、行表示駆動回路２２１に生じられた表示駆動信号と、行タッチ回路２３１に生じられ、その振幅、位相、周波数がいずれも検出電極に印加される信号におけるタッチ信号の部分と完全に同じであるタッチ信号との合成信号を印加する。列タッチ回路２３２によって、貫流しているタッチ信号の変化が最も大きく、ある定められた閾値を越えた列電極線はタッチされた列電極線として検出される。タッチポイントの位置は、検出されたタッチされた行電極線とタッチされた列電極線の交差点によって決定される。
【００５７】
表示駆動及びタッチ検出の場合に表示スクリーンの電極を同時に共用し、表示スクリーンの電極が表示駆動にもタッチ検出にも用いられ、フラットパネルディスプレイが正常表示とともにタッチ検出を行い、ｍ×ｎのタッチポイントが認識されるタッチ型フラットパネルディスプレイが形成される。
【００５８】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００５９】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００６０】
前記表示スクリーンの電極線の線抵抗は、検出を容易にするために、タッチ物が表示スクリーンの電極線の両端に近づく又は触れる時にタッチ信号の間の差が十分に小さくなるように、５０ｋΩよりも小さいことが望ましい。
【００６１】
実施形態４
図３に示すように、タッチ型フラットパネルディスプレイ３００は、パッシブ表示スクリーン３１０、行表示駆動回路３２１と列表示駆動回路３２２、行タッチ回路３３１と列タッチ回路３３２、及び行ゲート回路３６１と列ゲート回路３６２などを含む。表示スクリーン３１０は、行電極群３４０（行電極線３４１、３４２、…、３４ｉ、３４ｉ＋１、…、３４ｍがあり、ただし、ｉが１を越える自然数であり、ｍがｉよりも大きい自然数である）と列電極群３５０（列電極線３５１、３５２、…、３５ｊ、３５ｊ＋１、…、３５ｎがあり、ただし、ｊが１を越える自然数であり、ｎがｊよりも大きい自然数である）を有する。表示スクリーン３１０の行電極群３４０は行表示駆動回路３２１にも行タッチ回路３３１にも接続され、列電極群３５０は列表示駆動回路３２２にも列タッチ回路３３２にも接続される。タッチ型フラットパネルディスプレイにおける行ゲート回路３６１と列ゲート回路３６２により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにする。
【００６２】
前記タッチ型フラットパネルディスプレイは、各時点毎に１群の表示スクリーンの電極線を選択してタッチ信号を印加し、検出電極を貫流しているタッチ信号の変化を検出するが、他の表示スクリーンの電極線にはただタッチ信号だけが印加され、検出が行われない時分割多重化を採用することに特徴付けられる。それは以下のように動作する。表示期間において、タッチ型フラットパネルディスプレイ３００における行ゲート回路３６１と列ゲート回路３６２により、表示スクリーンの行電極群３４０と列電極群３５０がそれぞれ行表示駆動回路３２１と列表示駆動回路３２２に連通されて表示駆動信号を送信し、表示スクリーン３１０が表示状態になる。
【００６３】
タッチ期間において、タッチ型フラットパネルディスプレイ３００における行ゲート回路３６１と列ゲート回路３６２により、表示スクリーンの行電極群３４０と列電極群３５０がそれぞれ行タッチ回路３３１と列タッチ回路３３２に連通されてタッチ信号を送信する。行タッチ回路３３１は走査によって、各時点毎に行電極線３４１、３４２、…、３４ｉから１つの電極線を検出電極として選択してタッチ信号を印加し、また、行電極線３４ｉ＋１、…、３４ｍからもう１つの電極線を検出電極として選択してタッチ信号を印加し、これらの２つの電極線を貫流しているタッチ信号の変化をそれぞれ検出する。その一方で、行タッチ回路３３１は他の非検出電極の行電極線の全てにも、その振幅、位相、周波数がいずれも完全に同じであるタッチ信号を印加し、列タッチ回路３３２は全ての列電極線にも、その振幅、位相、周波数がいずれも完全に同じであるタッチ信号を印加する。行タッチ回路３３１によって、貫流しているタッチ信号の変化が最も大きく、ある定められた閾値を越えた行電極線は、タッチされた行電極線として全ての行電極線３４１、３４２、…、３４ｉ、３４ｉ＋１、…、３４ｍから検出される。その後、列タッチ回路３３２は走査によって、各時点毎に列電極線３５１、３５２、…、３５ｊから１つの電極線を検出電極として選択してタッチ信号を印加し、また、列電極線３５ｊ＋１、…、３５ｎからもう１つの電極線を検出電極として選択してタッチ信号を印加し、これらの２つの電極線を貫流しているタッチ信号の変化をそれぞれ検出する。その一方で、列タッチ回路３３２は他の非検出電極の列電極線の全てにも、その振幅、位相、周波数がいずれも完全に同じであるタッチ信号を印加し、行タッチ回路３３１は全ての行電極線にも、その振幅、位相、周波数がいずれも完全に同じであるタッチ信号を印加する。列タッチ回路３３２によって、貫流しているタッチ信号の変化が最も大きく、ある定められた閾値を越えた列電極線は、全ての列電極線３５１、３５２、…、３５ｊ、３５ｊ＋１、…、３５ｎからタッチされた列電極線として検出される。タッチポイントの位置は、検出されたタッチされた行電極線とタッチされた列電極線の交差点によって決定される。
【００６４】
タッチ型フラットパネルディスプレイ３００が表示期間とタッチ期間との間に繰り返して切り替え、表示駆動及びタッチ検出の場合に表示スクリーンの電極を時分割多重化するようにし、それぞれのタッチ期間がフラットパネルディスプレイの応答時間を越えないように制御され、フラットパネルディスプレイが正常表示にもタッチ検出にも用いられ、ｍ×ｎのタッチポイントが認識されるタッチ型フラットパネルディスプレイが形成される。
【００６５】
タッチ期間において、行タッチ回路３３１が同時に２つの表示スクリーンの電極線を検出電極として選択し、異なるブロックにおいて同時に走査することによりタッチ検出を行うことによって、表示スクリーン全体でタッチポイントを検出する時間が短縮される。
【００６６】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００６７】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００６８】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【００６９】
実施形態５
図３に示すように、タッチ型フラットパネルディスプレイ３００は、パッシブ表示スクリーン３１０、行表示駆動回路３２１と列表示駆動回路３２２、行タッチ回路３３１と列タッチ回路３３２、及び行ゲート回路３６１と列ゲート回路３６２などを含む。表示スクリーン３１０は、行電極群３４０の行電極線３４１、３４２、…、３４ｉ、３４ｉ＋１、…、３４ｍと、列電極群３５０の列電極線３５１、３５２、…、３５ｊ、３５ｊ＋１、…、３５ｎを有する。表示スクリーン３１０の行電極群３４０は行表示駆動回路３２１にも行タッチ回路３３１にも接続され、列電極群３５０は列表示駆動回路３２２にも列タッチ回路３３２にも接続される。タッチ型フラットパネルディスプレイにおける行ゲート回路３６１と列ゲート回路３６２により、表示スクリーンの電極が表示駆動回路に連通されて表示駆動信号を送信し、又はタッチ回路に連通されてタッチ信号を送信し、表示駆動及びタッチ検出の場合に表示スクリーンの電極を時分割多重化するようにする。
【００７０】
前記タッチ型フラットパネルディスプレイは、各時点毎に１群の表示スクリーンの電極線を選択してタッチ信号を印加し、検出電極を貫流しているタッチ信号の変化を検出するが、他の表示スクリーンの電極線にはただタッチ信号だけが印加され、検出が行われない時分割多重化を採用することに特徴付けられる。検出は、上位ブロックと下位ブロックにおいて同時に行われる。それは以下のように動作する。表示期間において、タッチ型フラットパネルディスプレイ３００における行ゲート回路３６１と列ゲート回路３６２により、表示スクリーンの行電極群３４０と列電極群３５０がそれぞれ行表示駆動回路３２１と列表示駆動回路３２２に連通されて表示駆動信号を送信し、表示スクリーン３１０が表示状態になる。
【００７１】
タッチ期間において、タッチ型フラットパネルディスプレイ３００における行ゲート回路３６１と列ゲート回路３６２により、表示スクリーンの行電極群３４０と列電極群３５０がそれぞれ行タッチ回路３３１と列タッチ回路３３２に連通されてタッチ信号を送信する。行タッチ回路３３１は走査によって、各時点毎に行電極線３４１、３４２、…、３４ｉから１つの電極線を検出電極として選択してタッチ信号を印加し、また、行電極線３４ｉ＋１、…、３４ｍからもう１つの電極線を検出電極として選択してタッチ信号を印加し、これらの２つの電極線を貫流しているタッチ信号の変化をそれぞれ検出する。その一方で、行タッチ回路３３１は他の非検出電極の行電極線の全てにも、その振幅、位相、周波数がいずれも完全に同じであるタッチ信号を印加し、列タッチ回路３３２は全ての列電極線にも、その振幅、位相、周波数がいずれも完全に同じであるタッチ信号を印加する。行タッチ回路３３１によって、貫流しているタッチ信号の変化が最も大きく、ある定められた閾値を越えた行電極線は、行電極線３４１、３４２、…、３４ｉからタッチされた行電極線として検出され、また、貫流しているタッチ信号の変化が最も大きく、ある定められた閾値を越えた行電極線も、電極線３４ｉ＋１、…、３４ｍからタッチされた行電極線として検出される。その後、列タッチ回路３３２は走査によって、各時点毎に列電極線３５１、３５２、…、３５ｊ、３５ｊ＋１、…、３５ｎから１つの電極線を検出電極として選択してタッチ信号を印加し、この電極線を貫流しているタッチ信号の変化を検出する。その一方で、列タッチ回路３３２は他の非検出電極の列電極線の全てにも、その振幅、位相、周波数がいずれも完全に同じであるタッチ信号を印加し、行タッチ回路３３１は全ての行電極線に、その振幅、位相、周波数がいずれも完全に同じであるタッチ信号を印加する。列タッチ回路３３２によって、貫流しているタッチ信号の変化が最も大きく、ある定められた閾値を越えた列電極線は、全ての列電極線３５１、３５２、…、３５ｊ、３５ｊ＋１、…、３５ｎからタッチされた列電極線として検出される。タッチポイントの位置は、検出されたタッチされた行電極線とタッチされた列電極線の交差点によって決定される。
【００７２】
タッチ型フラットパネルディスプレイ３００は表示期間とタッチ期間との間に繰り返して切り替え、表示駆動及びタッチ検出の場合に表示スクリーンの電極を時分割多重化するようにし、それぞれのタッチ期間がフラットパネルディスプレイの応答時間を越えないように制御され、フラットパネルディスプレイが正常表示にもタッチ検出にも用いられる。行電極線３４ｉを境界とし、表示スクリーン３１０の上位ブロックと下位ブロックにそれぞれｉ×ｎのタッチポイントと（ｍ−ｉ）×Ｎのタッチポイントが認識されるタッチ型フラットパネルディスプレイが形成される。
【００７３】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００７４】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【００７５】
実施形態６
図４に示すように、タッチ型フラットパネルディスプレイ４００は、アクティブ表示スクリーン４１０、行表示駆動回路４２１と列表示駆動回路４２２と共通電極表示駆動回路４２３、行タッチ回路４３１と列タッチ回路４３２と共通電極タッチ回路４３３、及び行ゲート回路４７１と列ゲート回路４７２と共通電極ゲート回路４７３などを含む。アクティブ表示スクリーン４１０のＴＦＴアレー、表示画素アレー、ＴＦＴのゲートに接続される表示走査電極群（すなわち、行電極群）４４０、ＴＦＴのソース又はドレインに接続される表示信号電極群（すなわち、列電極群）４５０は、ユーザーにより一層近づく上基板ガラスに設けられ、カラーフィルターと共通電極４６０は、下基板ガラスに設けられる。行電極群４４０は行電極線４４１、…、４４ｈ、…、４４ｉ、…、４４ｍを有し、列電極群４５０は列電極線４５１、…、４５ｊ、…、４５ｋ、…、４５ｎを有する。表示スクリーン４１０の行電極群４４０は行表示駆動回路４２１にも行タッチ回路４３１にも接続され、列電極群４５０は列表示駆動回路４２２にも列タッチ回路４３２にも接続され、共通電極４６０は共通電極表示駆動回路４２３にも共通電極タッチ回路４３３にも接続される。タッチ型フラットパネルディスプレイにおける行ゲート回路４７１、列ゲート回路４７２と共通電極ゲート回路４７３により、表示スクリーンの電極が表示走査フレーム内において表示駆動回路に連通されて表示駆動信号を送信し、表示走査フレームの間にタッチ回路に連通されてタッチ信号を送信し、表示駆動及びタッチ検出の場合に表示スクリーンの電極を時分割多重化するようにする。
【００７６】
前記タッチ型フラットパネルディスプレイは、各時点毎に１つの表示スクリーンの電極線を選択してタッチ信号を印加し、検出電極を貫流しているタッチ信号の変化を検出するが、他の表示スクリーンの行・列電極線と共通電極にもタッチ信号が印加される時分割多重化を採用することに特徴付けられる。それは以下のように動作する。表示走査フレームにおいて、すなわち、表示期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０がそれぞれ行表示駆動回路４２１、列表示駆動回路４２２と共通電極表示駆動回路４２３に連通されて表示駆動信号を送信し、表示スクリーン４１０が表示状態にある。
【００７７】
表示走査フレームにおいて、すなわち、タッチ期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０がそれぞれ行タッチ回路４３１、列タッチ回路４３２と共通電極タッチ回路４３３に連通されてタッチ信号を送信する。行タッチ回路４３１は走査によって、各時点毎に順に行電極群４４０の１つの電極線を行検出電極として選択してタッチ信号を印加し、この電極線を貫流しているタッチ信号の変化を検出する。その一方で、行タッチ回路４３１は行検出電極以外の他の行電極線にも、その振幅、位相、周波数がいずれも検出電極に印加されるタッチ信号と同じであるタッチ信号を印加し、列タッチ回路４３２は列電極群４５０の列電極線の全てにも、その位相、周波数が検出電極に印加されるタッチ信号と同じで振幅が異なるタッチ信号を印加し、共通電極タッチ回路４３３は共通電極４６０にもタッチ信号を印加する。行タッチ回路４３１によって、貫流しているタッチ信号の変化が最も大きく、ある定められた閾値を越えた行電極線はタッチされた行電極線として検出される。その後、列タッチ回路４３２は走査によって、各時点毎に順に列電極群４５０の１つの電極線を列検出電極として選択してタッチ信号を印加し、この電極線を貫流しているタッチ信号の変化を検出する。その一方で、列タッチ回路４３２は列検出電極以外の他の列電極線にも、その振幅、位相、周波数がいずれも検出電極に印加されるタッチ信号と同じであるタッチ信号を印加し、行タッチ回路４３１は全ての行電極線にも、その位相、周波数が検出電極に印加されるタッチ信号と同じで振幅が異なるタッチ信号を印加し、共通電極タッチ回路４３３は共通電極４６０にもタッチ信号を印加する。列タッチ回路４３２によって、貫流しているタッチ信号の変化が最も大きく、ある定められた閾値を越えた列電極線はタッチされた列電極線として検出される。タッチポイントの位置は、検出されたタッチされた行電極線とタッチされた列電極線の交差点によって決定される。
【００７８】
タッチ型フラットパネルディスプレイ４００は、表示走査フレーム内である表示期間と表示走査フレームの間であるタッチ期間との間に繰り返して切り替え、表示駆動及びタッチ検出の場合に表示スクリーンの電極を時分割多重化するようにし、フラットパネルディスプレイが正常表示にもタッチ検出にも用いられ、ｍ×ｎのタッチポイントが認識されるタッチ型フラットパネルディスプレイが形成される。
【００７９】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００８０】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００８１】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【００８２】
前記表示スクリーンの電極線の線抵抗は、検出を容易にするために、タッチ物が表示スクリーンの電極線の両端に近づく又は触れる時にタッチ信号の間の差が十分に小さくなるように、５０ｋΩよりも小さいことが望ましい。
【００８３】
実施形態７
図４に示すように、タッチ型フラットパネルディスプレイ４００は、アクティブ表示スクリーン４１０、行表示駆動回路４２１と列表示駆動回路４２２と共通電極表示駆動回路４２３、行タッチ回路４３１と列タッチ回路４３２と共通電極タッチ回路４３３、及び行ゲート回路４７１と列ゲート回路４７２と共通電極ゲート回路４７３などを含む。アクティブ表示スクリーン４１０のＴＦＴアレー、表示画素アレー、ＴＦＴのゲートに接続される表示走査電極群（すなわち、行電極群）４４０、ＴＦＴのソース又はドレインに接続される表示信号電極群（すなわち、列電極群）４５０は、ユーザーにより一層近づく上基板ガラスに設けられ、カラーフィルターと共通電極４６０は下基板ガラスに設けられる。行電極群４４０は行電極線４４１、…、４４ｈ、…、４４ｉ、…、４４ｍを有し、列電極群４５０は列電極線４５１、…、４５ｊ、…、４５ｋ、…、４５ｎを有する。表示スクリーン４１０の行電極群４４０は行表示駆動回路４２１にも行タッチ回路４３１にも接続され、列電極群４５０は列表示駆動回路４２２にも列タッチ回路４３２にも接続され、共通電極４６０は共通電極表示駆動回路４２３にも共通電極タッチ回路４３３にも接続される。タッチ型フラットパネルディスプレイにおける行ゲート回路４７１、列ゲート回路４７２と共通電極ゲート回路４７３により、表示スクリーンの電極が表示走査フレーム内において表示駆動回路に連通されて表示駆動信号を送信し、表示走査フレームの間にタッチ回路に連通されてタッチ信号を送信し、表示駆動及びタッチ検出の場合に表示スクリーンの電極を時分割多重化するようにする。
【００８４】
前記タッチ型フラットパネルディスプレイは、各時点毎に１つの表示スクリーンの電極線を選択してタッチ信号を印加し、検出電極を貫流しているタッチ信号の変化を検出し、検出電極に平行する他の表示スクリーンの電極線にタッチ信号を印加しないが、検出電極に交差する表示スクリーンの電極線と共通電極にもタッチ信号を印加する時分割多重化を採用することに特徴付けられる。それは以下のように動作する。表示走査フレームにおいて、すなわち、表示期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０がそれぞれ行表示駆動回路４２１、列表示駆動回路４２２と共通電極表示駆動回路４２３に連通されて表示駆動信号を送信し、表示スクリーン４１０が表示状態になる。
【００８５】
表示走査フレームにおいて、すなわち、タッチ期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０がそれぞれ行タッチ回路４３１、列タッチ回路４３２と共通電極タッチ回路４３３に連通されてタッチ信号を送信する。行タッチ回路４３１は走査によって、各時点毎に順に行電極線４４１、４４ｈ、４４ｉ及び４４ｍからただ１つの電極線を行検出電極として選択してタッチ信号を印加し、この電極線を貫流しているタッチ信号の変化を検出する。その一方で、行タッチ回路４３１は行検出電極以外の他の行電極線にタッチ信号を印加しないが、列タッチ回路４３２は列電極群４５０の列電極線の全てにも、その位相、周波数が検出電極に印加されるタッチ信号と同じで振幅が異なるタッチ信号を印加し、共通電極タッチ回路４３３は共通電極４６０にもタッチ信号を印加する。行タッチ回路４３１によって、貫流しているタッチ信号の変化が最も大きく、ある定められた閾値を越えた行電極線はタッチされた行電極線として検出される。その後、列タッチ回路４３２は走査によって、各時点毎に順に列電極線４５１、４５ｊ、４５ｋ及び４５ｎからただ１つの電極線を列検出電極として選択してタッチ信号を印加し、この電極線を貫流しているタッチ信号の変化を検出する。その一方で、列タッチ回路４３２は列検出電極以外の他の列電極線にタッチ信号を印加しないが、行タッチ回路４３１は全ての行電極線にも、その位相、周波数が検出電極に印加されるタッチ信号と同じで振幅が異なるタッチ信号を印加し、共通電極タッチ回路４３３は共通電極４６０にもタッチ信号を印加する。列タッチ回路４３２によって、貫流しているタッチ信号の変化が最も大きく、ある定められた閾値を越えた列電極線はタッチされた列電極線として検出される。タッチポイントの位置は、検出されたタッチされた行電極線とタッチされた列電極線の交差点によって決定される。
【００８６】
タッチ型フラットパネルディスプレイ４００は表示走査フレーム内である表示期間と表示走査フレームの間であるタッチ期間との間に繰り返して切り替え、表示駆動及びタッチ検出の場合に表示スクリーンの電極を時分割多重化するようにし、フラットパネルディスプレイが正常表示にもタッチ検出にも用いられ、４×４タッチポイントが認識されるタッチ型フラットパネルディスプレイが形成される。
【００８７】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【００８８】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００８９】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【００９０】
前記表示スクリーンの電極線の線抵抗は、検出を容易にするために、タッチ物が表示スクリーンの電極線の両端に近づく又は触れる時にタッチ信号の間の差が十分に小さくなるように、５０ｋΩよりも小さいことが望ましい。
【００９１】
実施形態８
図４に示すように、タッチ型フラットパネルディスプレイ４００は、アクティブ表示スクリーン４１０、行表示駆動回路４２１と列表示駆動回路４２２と共通電極表示駆動回路４２３、行タッチ回路４３１と列タッチ回路４３２と共通電極タッチ回路４３３、及び行ゲート回路４７１と列ゲート回路４７２と共通電極ゲート回路４７３などを含む。アクティブ表示スクリーン４１０のＴＦＴアレー、表示画素アレー、ＴＦＴのゲートに接続される表示走査電極群（すなわち、行電極群）４４０、ＴＦＴのソース又はドレインに接続される表示信号電極群（すなわち列電極群）４５０は、ユーザーにより一層近づく上基板ガラスに設けられ、カラーフィルターと共通電極４６０は下基板ガラスに設けられる。行電極群４４０は行電極線４４１、…、４４ｈ、…、４４ｉ、…、４４ｍを有し、列電極群４５０は列電極線４５１、…、４５ｊ、…、４５ｋ、…、４５ｎを有する。表示スクリーン４１０の行電極群４４０は行表示駆動回路４２１にも行タッチ回路４３１にも接続され、列電極群４５０は列表示駆動回路４２２にも列タッチ回路４３２にも接続される。タッチ型フラットパネルディスプレイにおける行ゲート回路４７１と列ゲート回路４７２により、表示スクリーンの電極が表示走査フレーム内において表示駆動回路に連通されて表示駆動信号を送信し、表示走査フレームの間にタッチ回路に連通されてタッチ信号を送信し、表示駆動及びタッチ検出の場合に表示スクリーンの電極を時分割多重化するようにする。
【００９２】
前記タッチ型フラットパネルディスプレイは、各時点毎に選択された幾つかの表示スクリーンの電極線だけに同時にタッチ信号を印加し、検出電極を貫流しているタッチ信号の変化を検出し、他の表示スクリーンの行・列電極線にタッチ信号を印加しないが、共通電極にもタッチ信号を印加する時分割多重化を採用することに特徴付けられる。それは以下のように動作する。表示走査フレームにおいて、すなわち、表示期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０が、それぞれ行表示駆動回路４２１、列表示駆動回路４２２と共通電極表示駆動回路４２３に連通されて表示駆動信号を送信し、表示スクリーン４１０が表示状態になる。
【００９３】
表示走査フレームにおいて、すなわち、タッチ期間において、タッチ型フラットパネルディスプレイ４００における行ゲート回路４７１、列ゲート回路４７２と共通電極ゲート回路４７３により、表示スクリーンの行電極群４４０と列電極群４５０がそれぞれ行タッチ回路４３１、列タッチ回路４３２と共通電極タッチ回路４３３に連通される。行タッチ回路４３１は、同時に行電極線４４１、４４ｈ、４４ｉ及び４４ｍを４つの行検出電極としてそれぞれ選択し、４つの検出電極に、その振幅、位相、周波数又はコードがいずれも完全に同じであるタッチ信号を同時に印加し、同時に各群の検出電極を貫流しているタッチ信号の変化をそれぞれ検出する。また、列タッチ回路４３２は、同時に列電極線４５１、４５ｊ、４５ｋ及び４５ｎを４つの列検出電極としてそれぞれ選択し、４つの検出電極に、その位相、周波数が行検出電極のタッチ信号と同じで振幅が異なるタッチ信号を同時に印加し、同時に各群の検出電極を貫流しているタッチ信号の変化をそれぞれ検出する。他の非検出電極の行・列電極線のいずれにもタッチ信号が印加されない。共通電極タッチ回路４３３は共通電極４６０にタッチ信号を印加する。行タッチ回路４３１によって、貫流しているタッチ信号の変化が最も大きく、ある定められた閾値を越えた列電極線は、４つの行検出電極４４１、４４ｈ、４４ｉ及び４４ｍからタッチされた行電極線として検出され、列タッチ回路４３２によって、貫流しているタッチ信号の変化が最も大きく、ある定められた閾値を越えた列電極線は、４つの列検出電極４５１、４５ｊ、４５ｋ及び４５ｎからタッチされた列電極線として検出される。タッチポイントの位置は、検出されたタッチされた行電極線とタッチされた列電極線の交差点によって決定される。
【００９４】
タッチ型フラットパネルディスプレイ４００は表示走査フレーム内である表示期間と表示走査フレームの間であるタッチ期間との間に繰り返して切り替え、表示駆動及びタッチ検出の場合に表示スクリーンの電極を時分割多重化するようにし、フラットパネルディスプレイが正常表示にもタッチ検出にも用いられ、４×４のタッチポイントが認識されるタッチ型フラットパネルディスプレイが形成される。
【００９５】
タッチ期間において、行タッチ回路４３１と列タッチ回路４３２はそれぞれ４つの表示スクリーンの電極線を検出電極として選択し、タッチ検出を同時に行うことによって、表示スクリーン全体でタッチポイントを検出する時間が短縮される。
【００９６】
タッチ信号の流れをより精細に制御するために、検出電極にタッチ信号が印加される時に、それぞれの検出電極に印加されるタッチ信号の振幅、位相、周波数又はコードが相違するように調整されてもよい。検出電極に印加されるタッチ信号の相違としては、振幅、位相、周波数又はコードは全部異なってもよく、ただそのうちの１つ又は２つ以上が異なってもよい。
【００９７】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【００９８】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【００９９】
実施形態９
図４に示すように、タッチ型フラットパネルディスプレイ４００は、アクティブ表示スクリーン４１０、行表示駆動回路４２１と列表示駆動回路４２２と共通電極表示駆動回路４２３、行タッチ回路４３１と列タッチ回路４３２と共通電極タッチ回路４３３、及び行ゲート回路４７１と列ゲート回路４７２と共通電極ゲート回路４７３などを含む。アクティブ表示スクリーン４１０のＴＦＴアレー、表示画素アレー、ＴＦＴのゲートに接続される表示走査電極群（すなわち、行電極群）４４０、ＴＦＴのソース又はドレインに接続される表示信号電極群（すなわち、列電極群）は、４５０ユーザーにより一層近づく上基板ガラスに設けられ、カラーフィルターと共通電極４６０は下基板ガラスに設けられる。行電極群４４０は行電極線４４１、…、４４ｈ、…、４４ｉ、…、４４ｍを有し、列電極群４５０は列電極線４５１、…、４５ｊ、…、４５ｋ、…、４５ｎを有する。表示スクリーン４１０の行電極群４４０は行表示駆動回路４２１にも行タッチ回路４３１にも接続され、列電極群４５０は列表示駆動回路４２２にも列タッチ回路４３２にも接続され、共通電極４６０は共通電極表示駆動回路４２３にも共通電極タッチ回路４３３にも接続される。タッチ型フラットパネルディスプレイにおける行ゲート回路４７１と列ゲート回路４７２により、表示スクリーンの電極が表示走査フレーム内において表示駆動回路に連通されて表示駆動信号を送信し、表示走査フレームの間にタッチ回路に連通されてタッチ信号を送信し、表示駆動及びタッチ検出の場合に表示スクリーンの電極を時分割多重化するようにする。
【０１００】
前記タッチ型フラットパネルディスプレイは、各時点毎に一定の複数行及び隣接する複数列の表示スクリーンの電極線を同時に選択してタッチ信号を印加し、検出電極を貫流しているタッチ信号の変化を検出し、他の表示スクリーンの行・列電極線にタッチ信号を印加しないが、共通電極にタッチ信号を印加する時分割多重化を採用することに特徴付けられる。それは以下のように動作する。表示走査フレームにおいて、すなわち、表示期間において、タッチ型フラットパネルディスプレイ４００における行ゲート回路４７１、列ゲート回路４７２と共通電極ゲート回路４７３により、表示スクリーンの行電極群４４０、列電極群４５０と共通電極４６０が、それぞれ行表示駆動回路４２１、列表示駆動回路４２２と共通電極表示駆動回路４２３に連通されて表示駆動信号を送信し、表示スクリーン４１０が表示状態になる。表示走査フレームにおいて、すなわち、タッチ期間において、タッチ型フラットパネルディスプレイ４００における行ゲート回路４７１と列ゲート回路４７２により、表示スクリーンの行電極群４４０と列電極群４５０がそれぞれ行タッチ回路４３１と列タッチ回路４３２に連通される。行検出タッチ回路４３１は、同時に行電極線４４１、４４ｈ、４４ｉ及び４４ｍを４つの行検出電極としてそれぞれ選択し、４つの検出電極に、その振幅、位相、周波数又はコードがいずれも完全に同じであるタッチ信号を同時に印加し、各群の検出電極を貫流しているタッチ信号の変化をそれぞれ検出する。列タッチ回路４３２は、同時に列電極線４５１、４５ｊ、４５ｋ及び４５ｎを４つの列検出電極としてそれぞれ選択し、４つの検出電極に、その位相、周波数が行検出電極タッチ信号と同じで振幅が異なるタッチ信号を同時に印加し、各群の検出電極を貫流しているタッチ信号の変化をそれぞれ検出し、他の非検出電極の行・列電極線の全てに、検出電極に印加されるタッチ信号と同じであるタッチ信号を印加する。共通電極タッチ回路４３３は共通電極４６０にもタッチ信号を印加する。行タッチ回路４３１によって、貫流しているタッチ信号の変化が最も大きく、ある定められた閾値を越えた列電極線は、４つの行検出電極４４１、４４ｈ、４４ｉ及び４４ｍからタッチされた行電極線として検出され、列タッチ回路４３２によって、貫流しているタッチ信号の変化が最も大きく、ある定められた閾値を越えた列電極線は、４つの列検出電極４５１、４５ｊ、４５ｋ及び４５ｎからタッチされた列電極線として検出される。タッチポイントの位置は、検出されたタッチされた行電極線とタッチされた列電極線の交差点によって決定される。
【０１０１】
タッチ型フラットパネルディスプレイ４００は表示走査フレーム内である表示期間と表示走査フレームの間であるタッチ期間との間に繰り返して切り替え、表示駆動及びタッチ検出の場合に表示スクリーンの電極を時分割多重化するようにし、フラットパネルディスプレイが正常表示にもタッチ検出にも用いられ、４×４のタッチポイントが認識されるタッチ型フラットパネルディスプレイが形成される。
【０１０２】
タッチ期間において、行タッチ回路４３１と列タッチ回路４３２はそれぞれ４つの表示スクリーンの電極線を検出電極として選択し、タッチ検出を同時に行うことによって、表示スクリーン全体でタッチポイントを検出する時間が短縮される。
【０１０３】
タッチ信号の流れをより精細に制御するために、それぞれの検出電極に印加されるタッチ信号の振幅、位相、周波数又はコードが相違するように調整されてもよい。検出電極に印加されるタッチ信号の相違としては、振幅、位相、周波数又はコードは全部異なってもよく、ただそのうちの１つ又は２つ以上が異なってもよい。
【０１０４】
タッチ信号の流れをより精細に制御するために、検出電極にタッチ信号が印加される時に、非検出電極に印加されるタッチ信号の振幅、位相、周波数又はコードが検出電極と相違するように調整されてもよい。それぞれの電極に印加されるタッチ信号の相違としては、振幅、位相、周波数又はコードは全部異なってもよく、ただそのうちの１つ又は２つ以上が異なってもよい。
【０１０５】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【０１０６】
表示スクリーンの電極が表示駆動回路に連通されて表示駆動信号を送信し、又はタッチ回路に連通されてタッチ信号を送信するようにするゲート回路は、多方向アナログスイッチであってもよく、ゲートとして機能する他の回路であってもよい。
【０１０７】
実施形態１０
図５に示すように、タッチ型フラットパネルディスプレイ５００は、パッシブ表示スクリーン５１０、行表示駆動回路５２１と列表示駆動回路５２２、行タッチ回路５３１と列タッチ回路５３２、及び行信号ローディング回路５６１と列信号ローディング回路５６２などを含む。表示スクリーン５１０は、行電極群５４０（行電極線５４１、５４２、…、５４ｉ、５４ｉ＋１、…、５４ｍを含む）と、列電極群５５０（列電極線５５１、５５２、…、５５ｊ、５５ｊ＋１、…、５５ｎを含む）を有する。表示スクリーン５１０の行電極群５４０は行信号ローディング回路５６１によって、行表示駆動回路５２１と行タッチ回路５３１に接続され、列電極群５５０は列信号ローディング回路５６２によって、列表示駆動回路５２２と列タッチ回路５３２に接続される。タッチ型フラットパネルディスプレイにおける信号ローディング回路により、表示スクリーンの電極が表示駆動信号とタッチ信号を同時に送信し、表示駆動及びタッチ検出の場合に表示スクリーンの電極を同時に共用するようにする。
【０１０８】
前記タッチ型フラットパネルディスプレイは、各時点毎に１群の互いに離れた表示スクリーンの電極線を選択してタッチ信号を印加し、検出電極を貫流しているタッチ信号の変化を検出し、他の表示スクリーンの電極線にはただタッチ信号が印加され、検出が行われない同時共用を採用することに特徴付けられる。それは以下のように動作する。行タッチ回路５３１は走査によって、各時点毎に行電極線５４１、５４２、…、５４ｉから１つの電極線を検出電極として選択し、また、電極線５４ｉ＋１、…、５４ｍからもう１つの電極線を検出電極として選択する。行信号ローディング回路５６１は、行表示駆動回路５２１に生じられた表示駆動信号と、行タッチ回路５３１に生じられ、表示駆動信号と異なる特徴を有するタッチ信号とをタッチ認識の特徴を有する駆動信号として合成し、これらの２つの電極線に印加して、これらの２つの電極線を貫流しているタッチ信号の変化をそれぞれ検出する。その一方で、行信号ローディング回路５６１は他の非検出電極の行電極線の全てにも、表示駆動信号と、その振幅、位相、周波数がいずれも検出電極に印加される信号におけるタッチ信号の部分と完全に同じであるタッチ信号との合成信号を印加し、列信号ローディング回路５６２は全ての的列電極線に、列表示駆動回路５２２に生じられた表示駆動信号と、列タッチ回路５３２に生じられ、その振幅、位相、周波数がいずれも検出電極に印加される信号におけるタッチ信号の部分と完全に同じであるタッチ信号との合成信号を印加する。行タッチ回路５３１によって、貫流しているタッチ信号の変化が最も大きく、ある定められた閾値を越えた行電極線は、全ての行電極線５４１、５４２、…、５４ｉ、５４ｉ＋１、…、５４ｍからタッチされた行電極線として検出される。
【０１０９】
その後、列タッチ回路５３２は走査によって、各時点毎に列電極線５５１、５５２、…、５５ｉから１つの電極線を検出電極として選択し、また、列電極線５５ｉ＋１、…、５５ｍからもう１つの電極線を検出電極として選択する。列信号ローディング回路５６２は、列表示駆動回路５２２に生じられた表示駆動信号と、列タッチ回路５３２に生じられ、表示駆動信号と異なる特徴を有するタッチ信号とをタッチ認識の特徴を有する駆動信号として合成し、これらの２つの電極線に印加して、これらの２つの電極線を貫流しているタッチ信号の変化をそれぞれ検出する。その一方で、列信号ローディング回路５６２は他の非検出電極の列電極線の全てにも、その表示駆動信号と、その振幅、位相、周波数がいずれも検出電極に印加される信号におけるタッチ信号の部分と完全に同じであるタッチ信号との合成信号を印加し、行信号ローディング回路５６１は全ての行電極線に、行表示駆動回路５２１に生じられた表示駆動信号と、行タッチ回路５３１に生じられ、その振幅、位相、周波数がいずれも検出電極に印加される信号におけるタッチ信号の部分と完全に同じであるタッチ信号との合成信号を印加する。列タッチ回路５３２によって、貫流しているタッチ信号の変化が最も大きく、ある定められた閾値を越えた列電極線は、全ての列電極線５５１、５５２、…、５５ｉ、５５ｉ＋１、…、５５ｍからタッチされた列電極線として検出される。タッチポイントの位置は、検出されたタッチされた行電極線とタッチされた列電極線の交差点によって決定される。
【０１１０】
表示駆動及びタッチ検出の場合に表示スクリーンの電極を同時に共用し、表示スクリーンの電極が表示駆動にもタッチ検出にも用いられ、フラットパネルディスプレイが正常表示とともにタッチ検出を行い、ｍ×ｎのタッチポイントが認識されるタッチ型フラットパネルディスプレイが形成される。
【０１１１】
タッチ信号の流れをより精細に制御するために、検出電極にタッチ信号が印加される時に、非検出電極に印加されるタッチ信号の振幅、位相、周波数が、検出電極に印加されるタッチ信号の振幅、位相、周波数と相違するように調整されてもよい。検出電極に印加されるタッチ信号と非検出電極に印加されるタッチ信号との相違としては、振幅、位相、周波数は全部異なってもよく、ただそのうちの１つ又は２つが異なってもよい。
【０１１２】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されているのであってもよい。これによって、タッチ型フラットパネルディスプレイは同時マルチタッチが可能になる。
【０１１３】
実施形態１１
図６に示すように、タッチ型フラットパネルディスプレイ６００は、パッシブ表示スクリーン６１０、行表示駆動回路６２１と列表示駆動回路６２２、行タッチ回路６３１と列タッチ回路６３２、及び行信号ローディング回路６６１と列信号ローディング回路６６２などを含む。表示スクリーン６１０は行電極群６４０（行電極線６４１、…、６４ｈ、…、６４ｉ、…、６４ｍを含む）と列電極群６５０（列電極線６５１、…、６５ｊ、…、６５ｋ、…、６５ｎを含む）を有する。表示スクリーン６１０の行電極群６４０は行信号ローディング回路６６１によって、行表示駆動回路６２１と行タッチ回路６３１に接続され、列電極群６５０は列信号ローディング回路６６２によって、列表示駆動回路６２２と列タッチ回路６３２に接続される。タッチ型フラットパネルディスプレイにおける信号ローディング回路により、表示スクリーンの電極が表示駆動信号とタッチ信号を同時に送信し、表示駆動及びタッチ検出の場合に表示スクリーンの電極を同時に共用するようにする。
【０１１４】
前記タッチ型フラットパネルディスプレイは、各時点毎に１群の表示スクリーンの電極線を選択してタッチ信号を印加し、検出電極を貫流しているタッチ信号の変化を検出するが、他の表示スクリーンの電極線にはただタッチ信号だけが印加され、検出が行われない同時共用を採用することに特徴付けられる。それは以下のように動作する。行タッチ回路６３１は、同時に行電極線６４１、６４ｈ、６４ｉ及び６４ｍを４つの行検出電極としてそれぞれ選択する。行信号ローディング回路６６１は、行表示駆動回路６２１に生じられた表示駆動信号と、行タッチ回路６３１に生じられ、表示駆動信号と異なる特徴を有するタッチ信号とをタッチ認識の特徴を有する駆動信号として合成し、これらの４つの電極線に印加して、これらの４つの電極線を貫流しているタッチ信号の変化をそれぞれ検出する。その一方で、行信号ローディング回路６６１は他の全ての非検出電極の行電極線にも、表示駆動信号と、その振幅、位相、周波数がいずれも検出電極に印加される信号におけるタッチ信号の部分と完全に同じであるタッチ信号との合成信号を印加し、列信号ローディング回路６６２は全ての列電極線に、列表示駆動回路６２２に生じられた表示駆動信号と、列タッチ回路６３２に生じられ、その振幅、位相、周波数がいずれも行検出電極に印加される信号におけるタッチ信号の部分と完全に同じであるタッチ信号との合成信号を印加する。行タッチ回路６３１によって、貫流しているタッチ信号の変化が最も大きく、ある定められた閾値を越えた列電極線は、４つの行検出電極６４１、６４ｈ、６４ｉ及び６４ｍからタッチされた行電極線として検出される。
【０１１５】
その後、列タッチ回路６３２は、同時に列電極線６５１、６５ｊ、６５ｋ及び６５ｎを４つの列検出電極としてそれぞれ選択する。列信号ローディング回路６６２は、列表示駆動回路６２２に生じられた表示駆動信号と、列タッチ回路６３２に生じられ、表示駆動信号と異なる特徴を有するタッチ信号とをタッチ認識の特徴を有する駆動信号として合成し、これらの４つの電極線に印加して、これらの４つの電極線を貫流しているタッチ信号の変化をそれぞれ検出する。その一方で、列信号ローディング回路６６２は他の非検出電極の列電極線の全てにも、表示駆動信号と、その振幅、位相、周波数がいずれも検出電極に印加される信号におけるタッチ信号の部分と完全に同じであるタッチ信号との合成信号を印加し、行信号ローディング回路６６１は全ての行電極線に、行表示駆動回路６２１に生じられた表示駆動信号と、行タッチ回路６３１に生じられ、その振幅、位相、周波数がいずれも列検出電極に印加される信号におけるタッチ信号の部分と完全に同じであるタッチ信号との合成信号を印加する。列タッチ回路６３２によって、貫流しているタッチ信号の変化が最も大きく、ある定められた閾値を越えた列電極線は、４つの列検出電極６５１、６５ｊ、６５ｋ及び６５ｎからタッチされた列電極線として検出される。タッチポイントの位置は、検出されたタッチされた行電極線とタッチされた列電極線の交差点によって決定される。
【０１１６】
表示駆動及びタッチ検出の場合に表示スクリーンの電極を同時に共用し、表示スクリーンの電極が表示駆動にもタッチ検出にも用いられ、フラットパネルディスプレイは正常表示とともにタッチ検出を行い、４×４のタッチポイントが認識されるタッチ型フラットパネルディスプレイが形成される。
【０１１７】
タッチ信号の流れをより精細に制御するために、それぞれの検出電極に印加されるタッチ信号は、その振幅、位相、周波数又はコードが相違するように調整されてもよい。検出電極に印加されるタッチ信号の相違としては、振幅、位相、周波数又はコードは全部異なってもよく、ただそのうちの１つ又は２つ以上が異なってもよい。
【０１１８】
タッチ信号の流れをより精細に制御するために、検出電極にタッチ信号が印加される時に、非検出電極に印加されるタッチ信号の振幅、位相、周波数又はコードが検出電極と相違するように調整されてもよい。それぞれの電極に印加されるタッチ信号の相違としては、振幅、位相、周波数又はコードは全部異なってもよく、ただそのうちの１つ又は２つ以上が異なってもよい。
【０１１９】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されているのであってもよい。これによって、タッチ型フラットパネルディスプレイは同時マルチタッチが可能になる。
【０１２０】
実施形態１２
図６に示すように、タッチ型フラットパネルディスプレイ６００は、パッシブ表示スクリーン６１０、行表示駆動回路６２１と列表示駆動回路６２２、行タッチ回路６３１と列タッチ回路６３２、及び行信号ローディング回路６６１と列信号ローディング回路６６２などを含む。表示スクリーン６１０は、行電極群６４０（行電極線６４１、…、６４ｈ、…、６４ｉ、…、６４ｍを含む）と列電極群６５０（列電極線６５１、…、６５ｊ、…、６５ｋ、…、６５ｎを含む）を有する。表示スクリーン６１０の行電極群６４０は行信号ローディング回路６６１によって、行表示駆動回路６２１と行タッチ回路６３１に接続され、列電極群６５０は列信号ローディング回路６６２によって、列表示駆動回路６２２と列タッチ回路６３２に接続される。タッチ型フラットパネルディスプレイにおける信号ローディング回路により、表示スクリーンの電極が表示駆動信号とタッチ信号を同時に送信し、表示駆動及びタッチ検出の場合に表示スクリーンの電極を同時に共用するようにする。
【０１２１】
前記タッチ型フラットパネルディスプレイは、各時点毎に複数行と複数列の表示スクリーンの電極線タッチ信号を選択してタッチ信号を印加し、検出電極を貫流しているタッチ信号の変化を検出し、他の表示スクリーンの電極線にはタッチ信号の代わりに表示駆動信号が印加される同時共用を採用することに特徴付けられる。それは以下のように動作する。行タッチ回路６３１は、行電極線６４１、６４ｈ、６４ｉ及び６４ｍを４つの行検出電極としてそれぞれ選択する。行信号ローディング回路６６１は、行表示駆動回路６２１に生じられた表示駆動信号と、行タッチ回路６３１に生じられ、表示駆動信号と異なる特徴を有するタッチ信号とをタッチ認識の特徴を有する駆動信号として合成し、これらの４つの電極線に同時に印加して、これらの４つの電極線を貫流しているタッチ信号の変化をそれぞれ検出する。その同時に、行信号ローディング回路６６１は他の非検出電極の行電極線の全てに、タッチ信号の代わりに表示駆動信号を印加する。その一方で、列タッチ回路６３２は、列電極線６５１、６５ｊ、６５ｋ及び６５ｎを４つの列検出電極としてそれぞれ選択する。列信号ローディング回路６６２は、列表示駆動回路６２２に生じられた表示駆動信号と、列タッチ回路６３２に生じられ、表示駆動信号と異なる特徴を有するタッチ信号とをタッチ認識の特徴を有する駆動信号として合成し、これらの４つの電極線に同時に印加して、これらの４つの電極線を貫流しているタッチ信号の変化をそれぞれ検出する。その一方で、列信号ローディング回路６６２は他の非検出電極の列電極線の全てに、タッチ信号の代わりに表示駆動信号を印加する。行タッチ回路６３１によって、貫流しているタッチ信号の変化が最も大きく、ある定められた閾値を越えた列電極線は、タッチされた行電極線として４つの行検出電極６４１、６４ｈ、６４ｉ及び６４ｍから検出される。列タッチ回路６３２によって、貫流しているタッチ信号の変化が最も大きく、ある定められた閾値を越えた列電極線は、タッチされた列電極線として４つの列検出電極６５１、６５ｊ、６５ｋ及び６５ｎから検出される。タッチポイントの位置は、検出されたタッチされた行電極線とタッチされた列電極線の交差点によって決定される。
【０１２２】
表示駆動及びタッチ検出の場合に表示スクリーンの電極を同時に共用し、表示スクリーンの電極が表示駆動にもタッチ検出にも用いられ、フラットパネルディスプレイは正常表示とともにタッチ検出を行い、４×４のタッチポイントが認識されるタッチ型フラットパネルディスプレイが形成される。
【０１２３】
タッチ信号の流れをより精細に制御するために、それぞれの検出電極に印加されるタッチ信号の振幅、位相、周波数又はコードが相違するように調整されてもよい。検出電極に印加されるタッチ信号の相違としては、振幅、位相、周波数又はコードは全部異なってもよく、ただそのうちの１つ又は２つ以上が異なってもよい。
【０１２４】
タッチされた電極線を判定する条件としては、貫流しているタッチ信号の変化が最も大きく、ある定められた閾値を越えた電極線はタッチされた電極線として検出されるのではなく、ただ貫流しているタッチ信号の変化がある定められた閾値を越えた電極線だけはタッチされた電極線として検出されるのであってもよい。これによって、タッチ型フラットパネルディスプレイは同時マルチタッチが可能になる。
【０１２５】
以上、具体的な実施形態に基づいて本発明をさらに詳細に説明したが、本発明の実施形態がそれらに限定されるとは考えられない。当業者は本発明の趣旨から逸脱することなく、幾つかの簡単な推論や置換を行うことができ、それらはすべて本発明の保護範囲に収まるものである。
【図１】
0005453583.tif 000002
【図２】
0005453583.tif 000003
【図３】
0005453583.tif 000004
【図４】
0005453583.tif 000005
【図５】
0005453583.tif 000006
【図６】
0005453583.tif 000007